(57)【要約】【課題】４種類の画素で表示しつつ、パーシャル表示モードにおける省電力化を実現できる電気光学装置、電気光学装置の駆動方法、および電子機器を提供すること。【解決手段】電気光学装置１は、複数の走査線１０と、複数のデータ線２０と、走査線１０およびデータ線２０の交差に対応して設けられた複数の画素５０と、を備え、全画面を表示する全画面表示モードと、全画面における一部の領域を表示領域とし、他の領域を非表示領域とする部分表示モードとが選択可能である。全画面表示モードでは、赤、緑、青の３種類の画素に対応する第１の画像信号に基づいて生成された赤、緑、青、シアンの４種類の画素に対応する第２の画像信号が供給される。前記部分表示モードでは、上述の３種類の画素に対応する第１の画像信号に基づいて生成され、上述の第２の画像信号とは異なる上述の４種類の画素に対応する第３の画像信号が供給される。【選択図】図１
2007108616.tif 000002
【特許請求の範囲】
【請求項１】
複数の走査線と、複数のデータ線と、前記走査線および前記データ線の交差に対応して設けられた複数の画素と、を備え、全画面を表示する全画面表示モードと、前記全画面における一部の領域を表示領域とし、他の領域を非表示領域とする部分表示モードと、が選択可能である電気光学装置であって、
前記全画面表示モードでは、３種類の色に対応する第１の画像信号に基づいて生成された４種類の色に対応する第２の画像信号が供給され、
前記部分表示モードでは、前記３種類の色に対応する第１の画像信号に基づいて生成され、前記第２の画像信号とは異なる４種類の色に対応する第３の画像信号が供給されることを特徴とする電気光学装置。
【請求項２】
請求項１に記載の電気光学装置において、
前記３種類の色に対応する第１の画像信号は、赤、緑、青であり、
前記全画面表示モードでは、前記第１の画像信号に基づいて前記４種類の色に対応する前記第２の画像信号を生成し、
前記部分表示モードでは、前記第１の画像信号における緑に対応する信号を、前記４種類の色における２種類の色の信号として供給することを特徴とする電気光学装置。
【請求項３】
請求項１に記載の電気光学装置において、
前記３種類の色に対応する第１の画像信号は、赤、緑、青であり、
前記全画面表示モードでは、前記第１の画像信号に基づいて前記４種類の色に対応する前記第２の画像信号を生成し、
前記部分表示モードでは、前記第１の画像信号における赤、緑、青に対応する信号に基づいて前記４種類の色における２種類の色の信号に変換して供給することを特徴とする電気光学装置。
【請求項４】
請求項１に記載の電気光学装置において、
前記３種類の色に対応する第１の画像信号は、赤、緑、青であり、
前記全画面表示モードでは、前記第１の画像信号に基づいて前記４種類の色に対応する前記第２の画像信号を生成し、
前記部分表示モードでは、前記第１の画像信号における赤、緑、青に対応する信号に基づいて前記４種類の色における１種類の色の信号に変換して供給することを特徴とする電気光学装置。
【請求項５】
請求項１乃至４のいずれか１項に記載の電気光学装置を備えたことを特徴とする電子機器。
【請求項６】
複数の走査線と、複数のデータ線と、前記走査線および前記データ線の交差に対応して設けられた複数の画素と、を備え、全画面を表示する全画面表示モードと、前記全画面における一部の領域を表示領域とし、他の領域を非表示領域とする部分表示モードと、が選択可能である電気光学装置の駆動方法であって、
前記全画面表示モードでは、３種類の色に対応する第１の画像信号に基づいて生成された４種類の色に対応する第２の画像信号を供給し、
前記部分表示モードでは、前記３種類の色に対応する第１の画像信号に基づいて生成され、前記第２の画像信号とは異なる４種類の色に対応する第３の画像信号を供給することを特徴とする電気光学装置の駆動方法。
【発明の詳細な説明】
【技術分野】
【０００１】
本発明は、例えば、液晶などの電気光学物質を用いた電気光学装置、この電気光学装置の駆動方法、およびこの電気光学装置を有する電子機器に関するものである。
【背景技術】
【０００２】
従来より、画像を表示する液晶装置などの電気光学装置が知られている。この電気光学装置は、例えば、バックライト、複数の走査線、複数のデータ線、ならびに、これら走査線およびデータ線の交差に対応して設けられた複数の画素電極およびスイッチング素子を有する第１の基板と、この第１の基板に対向して設けられた第２の基板と、第１の基板と第２の基板との間に設けられバックライトからの光を制御する液晶と、を備えている。
ここで、電気光学装置には、上述した複数の画素電極およびスイッチング素子に対応して設けられた複数の画素からなる表示領域が形成されている。また、複数の画素は、赤（Ｒ）のカラーフィルタを有する画素と、緑（Ｇ）のカラーフィルタを有する画素と、青（Ｂ）のカラーフィルタを有する画素と、を含んでいる。
【０００３】
上述の電気光学装置によれば、以上の３種類の画素に画像信号を供給して、液晶シャッタを制御する。バックライトから光が射出されると、この光は、画素で制御された液晶シャッタを通過した後、表示領域全面に照射される。表示領域の各画素に入射した光は、カラーフィルタを通過して射出される。
【０００４】
ところで、近年、電気光学装置の色再現性の向上が要請されている。このため、カラーフィルタを１種類追加して、画素の種類を４種類とした電気光学装置がある。このような電気光学装置に関し、従来の３種類の画素に供給される画像信号に基づいて、４種類の画素に供給する画像信号を生成する方法がある（例えば、特許文献１参照）。
【０００５】
特許文献１で示された画像信号の生成方法においては、複数の画素は、赤（Ｒ）のカラーフィルタを有する画素と、緑（Ｇ）のカラーフィルタを有する画素と、青（Ｂ）のカラーフィルタを有する画素と、白（Ｗ）のカラーフィルタを有する画素と、を備え、赤（Ｒ）、緑（Ｇ）、青（Ｂ）の３種類の画素についての画像信号に基づいて、これらと異なる４種類目である白（Ｗ）の画素に供給する画像信号を生成する。このため、この画像信号の生成方法を用いた電気光学装置は、赤（Ｒ）、緑（Ｇ）、青（Ｂ）の３種類の画素についての画像信号に基づいて、赤（Ｒ）、緑（Ｇ）、青（Ｂ）、白（Ｗ）の４種類の画素に供給する画像信号を生成し、これら４種類の画素から射出される４種類の色の光で画像を表示できるので、色再現性を向上できる。
【特許文献１】特開２００４−１９９０７１号公報
【発明の開示】
【発明が解決しようとする課題】
【０００６】
ところで、以上のような電気光学装置は、例えば、携帯機器に用いられる。この携帯機器では、近年、消費電力の一層の低減が要請されている。そこで、上述のように表示画面の全画面に表示する（以降、この場合を全画面表示モードと呼ぶ）のではなく、表示画面の一部にのみ表示する（以降、この場合を部分（パーシャル）表示モードと呼ぶ）ことで、省電力化を図っている。
【０００７】
そこで、特許文献１で示された画像信号の生成方法を用いた電気光学装置においても、パーシャル表示モードで省電力化を実現することが要請されている。
しかしながら、特許文献１で示された画像信号の生成方法を用いた電気光学装置では、３種類の画素についての画像信号に基づいて、これらと異なる４種類目の画像信号を生成するために、回路が複雑になっており、消費電力が増大する。そのため、特許文献１に示された画像信号の生成方法を用いた電気光学装置では、全画面表示モードでの色再現性は向上するが、パーシャル表示モードでの省電力化を十分に図るのは困難であった。
【０００８】
本発明は、４種類の画素で表示しつつ、パーシャル表示モードにおける省電力化を実現できる電気光学装置、電気光学装置の駆動方法、および電子機器を提供することを目的とする。
【課題を解決するための手段】
【０００９】
本発明の電気光学装置は、複数の走査線と、複数のデータ線と、前記走査線および前記データ線の交差に対応して設けられた複数の画素と、を備え、全画面を表示する全画面表示モードと、前記全画面における一部の領域を表示領域とし、他の領域を非表示領域とする部分表示モードと、が選択可能である電気光学装置であって、前記全画面表示モードでは、３種類の色に対応する第１の画像信号に基づいて生成された４種類の色に対応する第２の画像信号が供給され、前記部分表示モードでは、前記３種類の色に対応する第１の画像信号に基づいて生成され、前記第２の画像信号とは異なる４種類の色に対応する第３の画像信号が供給されることを特徴とする。
【００１０】
この発明によれば、例えば、赤、緑、青の３種類の色についての画像信号を、第１の画像信号とする。また、例えば、赤、緑、青の３種類の色に１種類追加した４種類の色についての全画面表示モードおよびパーシャル表示モードにおける画像信号を、それぞれ第２の画像信号および第３の画像信号とする。そして、第１の画像信号に基づいて生成された第２の画像信号と、同じく第１の画像信号に基づいて生成された第３の画像信号とを異ならせた。
このため、全画面表示モードでは、４種類の色に対応する第２の画像信号を供給して色再現性を向上させ、パーシャル表示モードでは、４種類の色に対応する第２の画像信号と異なる第３の画像信号を供給して省電力化を実現する。したがって、４種類の色で表示しつつ、パーシャル表示モードにおける省電力化を実現できる。
【００１１】
本発明の電気光学装置では、前記３種類の色に対応する第１の画像信号は、赤、緑、青であり、前記全画面表示モードでは、前記第１の画像信号に基づいて前記４種類の色に対応する前記第２の画像信号を生成し、前記部分表示モードでは、前記第１の画像信号における緑に対応する信号を、前記４種類の色における２種類の色の信号として供給することが好ましい。
【００１２】
この発明によれば、第１の画像信号を、赤、緑、青の３種類の色に対応させ、この第１の画像信号における緑に対応する信号を、第３の画像信号における２種類の色の信号として供給した。このため、パーシャル表示モードにおいて、４種類の画素に供給する画像信号を生成するための回路が簡易な構成になり、更に省電力化を実現できる。
【００１３】
本発明の電気光学装置では、前記３種類の色に対応する第１の画像信号は、赤、緑、青であり、前記全画面表示モードでは、前記第１の画像信号に基づいて前記４種類の色に対応する前記第２の画像信号を生成し、前記部分表示モードでは、前記第１の画像信号における赤、緑、青に対応する信号に基づいて前記４種類の色における２種類の色の信号に変換して供給することが好ましい。
【００１４】
この発明によれば、第１の画像信号を、赤、緑、青の３種類の色に対応させ、この第１の画像信号における赤、緑、青に対応する信号に基づいて、第３の画像信号における２種類の色の信号として供給した。このように、第３の画像信号における２種類の色に対応する信号を、第１の画像信号に基づいて生成したので、これら２種類の色と色の関連性が高い色の鮮やかさ、つまり色純度を向上できる。
【００１５】
本発明の電気光学装置では、前記３種類の色に対応する第１の画像信号は、赤、緑、青であり、前記全画面表示モードでは、前記第１の画像信号に基づいて前記４種類の色に対応する前記第２の画像信号を生成し、前記部分表示モードでは、前記第１の画像信号における赤、緑、青に対応する信号に基づいて前記４種類の色における１種類の色の信号に変換して供給することが好ましい。
【００１６】
この発明によれば、第１の画像信号を、赤、緑、青の３種類の色に対応させ、この第１の画像信号における赤、緑、青に対応する信号に基づいて、第３の画像信号における１種類の色の信号として供給した。このように、第３の画像信号における１種類の色に対応する信号を、第１の画像信号に基づいて生成したので、これら１種類の色と色の関連性が高い色の色純度を向上できる。
【００１７】
本発明の電子機器は、上述の電気光学装置を備えたことを特徴とする。
この発明によれば、上述した効果と同様の効果がある。
【００１８】
本発明の電気光学装置の駆動方法は、複数の走査線と、複数のデータ線と、前記走査線および前記データ線の交差に対応して設けられた複数の画素と、を備え、全画面を表示する全画面表示モードと、前記全画面における一部の領域を表示領域とし、他の領域を非表示領域とする部分表示モードと、が選択可能である電気光学装置の駆動方法であって、前記全画面表示モードでは、３種類の色に対応する第１の画像信号に基づいて生成された４種類の色に対応する第２の画像信号を供給し、前記部分表示モードでは、前記３種類の色に対応する第１の画像信号に基づいて生成され、前記第２の画像信号とは異なる４種類の色に対応する第３の画像信号を供給することを特徴とする。
この発明によれば、上述した効果と同様の効果がある。
【発明を実施するための最良の形態】
【００１９】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る電気光学装置１のブロック図である。
電気光学装置１は、液晶パネルＡＡと、この液晶パネルＡＡを駆動する走査線駆動回路１１、およびデータ線駆動回路２１と、ＭＰＵ（Micro  Processor  Unit）４１と、電源回路４２と、を備えている。
【００２０】
ＭＰＵ４１は、外部バス４０に接続されており、走査線駆動回路１１、データ線駆動回路２１、電源回路４２の制御を行う。
具体的には、ＭＰＵ４１は、走査線駆動回路１１およびデータ線駆動回路２１に対して、垂直同期信号および水平同期信号の供給や、各種コマンドの発行を行う。また、ＭＰＵ４１は、電源回路４２に対して、電圧レベルの電源設定を行う。
【００２１】
電源回路４２は、外部から供給される基準電圧に基づいて、液晶パネルＡＡの駆動に必要な各種の電源電圧を生成し、走査線駆動回路１１やデータ線駆動回路２１に供給する。
【００２２】
液晶パネルＡＡは、複数の走査線１０と、複数のデータ線２０と、これら走査線１０およびデータ線２０の交差に対応して設けられた画素回路５０と、を備える。
液晶パネルＡＡには、上述した複数の画素回路５０に対応して設けられた複数の画素からなる表示領域Ａが形成されている。
また、上述の走査線駆動回路１１およびデータ線駆動回路２１は、液晶パネルＡＡの素子基板上に形成されている。
【００２３】
各画素回路５０は、素子基板に設けられたＴＦＴ５１、画素電極５５、および蓄積容量５３と、対向基板に設けられた共通電極５６と、を含んで構成されている。
【００２４】
具体的には、素子基板は、所定間隔おきに交互に設けられた複数の走査線１０および共通線３０と、これら走査線１０に略直交し所定間隔おきに設けられた複数のデータ線２０と、複数の走査線１０およびデータ線２０の交差に対応して設けられたスイッチング素子としてのＴＦＴ５１、画素電極５５、およびこの画素電極５５に一端が電気的に接続され他端が共通線３０に電気的に接続された蓄積容量５３と、を備えている。
【００２５】
対向基板は、マトリクス状に設けられた赤（Ｒ）、緑（Ｇ）、青（Ｂ）、シアン（Ｃ）の４種類のカラーフィルタと、画素電極５５に対向する共通電極５６と、を備えている。この共通電極５６は、共通線３０と接続されている。
素子基板に設けられた画素電極５５と、対向基板に設けられた共通電極５６との間には、液晶が挟持されている。
【００２６】
ＴＦＴ５１のゲート電極には、走査線１０が接続され、ＴＦＴ５１のソース電極には、データ線２０が接続され、ＴＦＴ５１のドレイン電極には、画素電極５５および蓄積容量５３が接続されている。したがって、このＴＦＴ５１は、走査線１０から選択電圧が印加されると、データ線２０と画素電極５５および蓄積容量５３とを導通状態とする。
【００２７】
走査線駆動回路１１は、ＴＦＴ５１をオン状態にする選択電圧を各走査線１０に線順次で供給する。例えば、ある走査線１０に選択電圧が供給されると、この走査線１０に接続されたＴＦＴ５１が全てオン状態となり、この走査線１０に係る画素回路５０が全て選択される。
データ線駆動回路２１は、画像信号を各データ線２０に供給し、オン状態のＴＦＴ５１を介して、画素回路５０の画素電極５５に画像データを順次書き込む。ここで、データ線駆動回路２１は、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを交互に行う。
なお、走査線駆動回路１１は、走査線１０に印加する選択電圧を生成するＹドライバ（図示省略）を備えている。また、データ線駆動回路２１は、後述する赤（Ｒ）、緑（Ｇ）、青（Ｂ）、シアン（Ｃ）の４種類の画素に対応して、後述するＸドライバ２１Ａを４種類備えている。
【００２８】
以上の電気光学装置１は、以下のように動作する。
すなわち、選択電圧を線順次で供給することで、ある走査線１０に係る画素回路５０を全て選択する。そして、これら画素回路５０の選択に同期して、データ線２０に画像信号を供給する。これにより、走査線駆動回路で選択した全ての画素回路５０に画像信号が供給されて、画像データが画素電極５５に書き込まれる。
【００２９】
ここで、この電気光学装置１では、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを交互に行う。
【００３０】
画素回路５０の画素電極５５に画像データが書き込まれると、この画素電極５５と共通電極５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量５３により、画像データが書き込まれる期間よりも３桁も長い期間に亘って保持される。
【００３１】
図２は、データ線駆動回路２１を構成するＸドライバ２１Ａのブロック図である。以下、１種類のＸドライバ２１Ａについて説明するが、他の３種類についても同様の構成である。
Ｘドライバ２１Ａは、内部バス６０と、この内部バス６０に接続されたＭＰＵインタフェース６１、バスホルダ６２、コマンドデコーダ６３、およびＭＰＵ側制御回路７０と、を備えている。
【００３２】
ＭＰＵインタフェース６１は、上述のＭＰＵ４１に接続されている。
バスホルダ６２は、内部バス６０上のデータを一時的に保持する。
コマンドデコーダ６３は、ＭＰＵ４１から入力されたコマンドをデコード（解読）し、デコード結果をＭＰＵ側制御回路７０に出力する。
【００３３】
コマンドデコーダ６３には、不揮発性メモリのＥＥＰＲＯＭ６５が接続されている。このＥＥＰＲＯＭ６５は、表示特性制御パラメータ（コントラスト調整パラメータ、表示制御パラメータ、階調制御パラメータ等）を記憶している。この表示特性制御パラメータは、例えば、電源投入時、システムリセット時、およびリフレッシュタイミング時に読み出され、ＭＰＵ側制御回路７０、ドライバ側制御回路８０等のパラメータに反映される。
【００３４】
ＭＰＵ側制御回路７０は、赤（Ｒ）、緑（Ｇ）、青（Ｂ）の３種類の画素についての第１の画像信号が入力されると、この入力された第１の画像信号に基づいて、全面表示モードでは、赤（Ｒ）、緑（Ｇ）、青（Ｂ）、シアン（Ｃ）の４種類の画素の全てについての第２の画像信号を生成し、パーシャル表示モードでは、上述の４種類の画素の全てについての第３の画像信号を生成する。
【００３５】
また、ＭＰＵ側制御回路７０は、ドライバ側制御回路８０、カラムアドレス制御回路９２およびページアドレス制御回路９３を制御して、表示データＲＡＭ９１に対するリード、ライト動作を行うほか、表示階調制御回路９６を制御する。
【００３６】
カラムアドレス制御回路９２は、インタフェースバッファ９５を介して、第３の画像信号の表示データＲＡＭ９１に対する書き込みカラムアドレスを指定する。
ページアドレス制御回路９３は、第３の画像信号の表示データＲＡＭ９１に対する書き込みページアドレスと読み出しページアドレスとを指定する。
【００３７】
ドライバ側制御回路８０は、ラインアドレス制御回路９４を制御するものであり、Ｘドライバ制御回路８１と、Ｙドライバ制御回路８２と、発振回路８３と、を備える。
Ｘドライバ制御回路８１は、他の３種類のＸドライバ２１Ａと同期をとる。
Ｙドライバ制御回路８２は、ラインアドレス制御回路９４を制御する。
発振回路８３は、Ｘドライバ２１Ａ内部で使用される基準クロックを生成する。なお、画像の表示制御が主な目的であるため、この基準クロックは、数百ＫＨｚオーダである。
ラインアドレス制御回路９４は、第３の画像信号の表示データＲＡＭ９１に対する読み出しラインアドレスを指定する。
【００３８】
このドライバ側制御回路８０は、他の３種類のＸドライバ２１Ａのドライバ側制御回路８０と同期をとりながら、ラインアドレス制御回路９４を制御して、ＭＰＵ側制御回路７０とともに、表示データＲＡＭ９１に対するリード動作を制御する。
【００３９】
以上のＸドライバ２１Ａは、以下のように動作する。
全画面表示モードでは、ＭＰＵ側制御回路７０は、入力された第１の画像信号に基づいて第２の画像信号を生成し、表示階調制御回路９６に出力する。
【００４０】
一方、パーシャル表示モードでは、ＭＰＵ側制御回路７０は、入力された第１の画像信号に基づいて第３の画像信号を生成し、コマンドデコーダ６３でデコードされたコマンドに基づいて、カラムアドレス制御回路９２およびページアドレス制御回路９３で指定された表示データＲＡＭ９１のアドレスに、インタフェースバッファ９５を介して第３の画像信号を書き込む。
また、ＭＰＵ側制御回路７０は、表示データＲＡＭ９１に書き込まれた第３の画像信号を、ページアドレス制御回路９３およびラインアドレス制御回路９４で指定されたアドレスから読み出して、表示階調制御回路９６に出力する。
【００４１】
表示階調制御回路９６は、表示データＲＡＭ９１から入力された第３の画像信号に基づいて、ＰＷＭ（パルス幅変調）を行い、液晶パネル駆動回路９７に画像信号を出力する。
【００４２】
液晶パネル駆動回路９７は、表示階調制御回路９６から入力された画像信号を、液晶パネルＡＡの電圧に応じた電圧に昇圧し、液晶パネルＡＡのデータ線２０に供給する。
【００４３】
図３は、表示領域Ａの模式図である。
表示領域Ａは、複数の画素５７がマトリクス状に配列されて構成され、複数の画素５７は、赤（Ｒ）のカラーフィルタを有する画素５７と、緑（Ｇ）のカラーフィルタを有する画素５７と、青（Ｂ）のカラーフィルタを有する画素５７と、シアン（Ｃ）のカラーフィルタを有する画素５７と、を備えている。
上述したように、画素５７は、赤（Ｒ）、緑（Ｇ）、青（Ｂ）、シアン（Ｃ）の４種類がある。そこで、図３中水平方向に配置された４種類の画素５７を１組として、この画素５７の組を、縦に４組、横に４組の計１６組配列して、画素ブロック５２とする。
なお、本実施形態では、４種類の画素５７は、図３のようにストライプ配列である。
【００４４】
以上の電気光学装置１のＭＰＵ側制御回路７０は、全画面表示モードでは、３次元のＬＵＴ（Look  Up  Table）を用いて、赤（Ｒ）、緑（Ｇ）、青（Ｂ）、シアン（Ｃ）の４種類の画素５７のうち、赤（Ｒ）、緑（Ｇ）、青（Ｂ）の３種類の画素５７についての第１の画像信号が入力されると、この入力された第１の画像信号に基づいて、上述の４種類の画素５７の全てに供給される第２の画像信号を生成する。
【００４５】
一方、パーシャル表示モードでは、以下の方法により、赤（Ｒ）、緑（Ｇ）、青（Ｂ）、シアン（Ｃ）の４種類の画素５７のうち、赤（Ｒ）、緑（Ｇ）、青（Ｂ）の３種類の画素５７に対応する第１の画像信号が入力されると、この入力された第１の画像信号における緑（Ｇ）に対応する信号を緑（Ｇ）およびシアン（Ｃ）の２種類の画素５７の信号として、上述の４種類の画素５７の全てに供給される第３の画像信号を生成する。
【００４６】
すなわち、パーシャル表示モードでは、以下（式１）から（式４）の式を用いて、４種類の画素５７のうちの３種類についての第１の画像信号に基づいて、４種類の画素５７の全てに供給される第３の画像信号を生成する。
【００４７】
【数１】
2007108616.tif 000003
【数２】
2007108616.tif 000004
【数３】
2007108616.tif 000005
【数４】
2007108616.tif 000006
【００４８】
ここで、Ｒｏ、Ｇｏ、Ｂｏ、Ｃｏは、それぞれ、赤（Ｒ）、緑（Ｇ）、青（Ｂ）、シアン（Ｃ）の画素についての第３の画像信号であり、Ｒｉ、Ｇｉ、Ｂｉは、それぞれ、赤（Ｒ）、緑（Ｇ）、青（Ｂ）の画素についての第１の画像信号である。
【００４９】
上述の（式１）から（式４）の式で生成された第３の画像信号を表１に示す。
【表１】
2007108616.tif 000007
【００５０】
表１の左側には、ＭＰＵ側制御回路７０に入力される第１の画像信号が示されている。パーシャル表示モードでは、Ｒｉ、Ｇｉ、Ｂｉは、それぞれ、「０」または「１」の２値をとりうる。よって、第１の画像信号は、ａ０からａ７までの３ｂｉｔの信号となっている。
表１の右側には、ＭＰＵ側制御回路７０で生成される第３の画像信号が示されている。パーシャル表示モードでは、Ｒｏ、Ｇｏ、Ｂｏ、Ｃｏは、それぞれ、「０」または「１」の２値をとりうる。よって、第３の画像信号は、ｂ０からｂ１５までの４ｂｉｔの信号となっている。
表１において、ｂ０、ｂ１、ｂ４、ｂ５、ｂ１０、ｂ１１、ｂ１４、ｂ１５の画像信号は、上述の（式１）から（式４）の式を用いて、それぞれａ０、ａ１、ａ４、ａ５、ａ２、ａ３、ａ６、ａ７の画像信号から生成されている。
【００５１】
図４は、表１の第３の画像信号の色再現性を示すｘｙ色度図である。
このｘｙ色度図では、座標上の１点が特定の色に対応しており、電気光学装置１は、馬蹄形の枠で囲まれた色のうち、ｂ１、ｂ４、ｂ２、ｂ８の４つの頂点を結ぶ四角形で囲まれた色を表示できる。
【００５２】
図４において、電気光学装置１がノーマリーブラックモードの場合には、ｂ１５の画像信号により表示される色は、白（Ｗ）であり、ｂ０の画像信号により表示される色は、黒（Ｂ）である。なお、ｂ０は、便宜上、ｘ＝０．０、ｙ＝０．０の位置とする。
【００５３】
本実施形態によれば、以下のような効果がある。
（１）赤（Ｒ）、緑（Ｇ）、青（Ｂ）、シアン（Ｃ）の４種類の画素５７のうちの赤（Ｒ）、緑（Ｇ）、青（Ｂ）の３種類の画素５７に対応する第１の画像信号に基づいて、全面表示モードでは、色再現性を向上させる第２の画像信号を生成し、パーシャル表示モードでは、省電力化を実現させる第２の画像信号と異なる第３の画像信号を生成する。このため、全面表示モードでは、赤（Ｒ）、緑（Ｇ）、青（Ｂ）、シアン（Ｃ）の４種類の画素５７に第２の画像信号を供給して色再現性を向上させ、パーシャル表示モードでは、赤（Ｒ）、緑（Ｇ）、青（Ｂ）、シアン（Ｃ）の４種類の画素５７に第３の画像信号を供給して省電力化を実現する。したがって、４種類の画素５７で表示しつつ、パーシャル表示モードにおける省電力化を実現できる。
【００５４】
（２）第１の画像信号を、赤（Ｒ）、緑（Ｇ）、青（Ｂ）の３種類の画素５７に対応させ、この第１の画像信号における緑（Ｇ）に対応する信号を、第３の画像信号における２種類の画素５７の信号として供給する。このため、パーシャル表示モードにおいて、４種類の画素５７に供給する画像信号を生成するための回路が簡易な構成になり、更に省電力化を実現できる。
【００５５】
＜第２実施形態＞
本実施形態に係る電気光学装置１Ａは、上述の電気光学装置１と比べて、パーシャル表示モードで、第１の画像信号に基づいて第３の画像信号を生成する際に用いる式が異なる。
【００５６】
電気光学装置１Ａは、パーシャル表示モードでは、以下（式５）から（式８）の式を用いて、赤（Ｒ）、緑（Ｇ）、青（Ｂ）、シアン（Ｃ）の４種類の画素５７のうち、赤（Ｒ）、緑（Ｇ）、青（Ｂ）の３種類の画素５７に対応する第１の画像信号に基づいて緑（Ｇ）およびシアン（Ｃ）の２種類の画素５７の信号に変換して、上述の４種類の画素５７の全てに供給される第３の画像信号を生成する。
【００５７】
【数５】
2007108616.tif 000008
【数６】
2007108616.tif 000009
【数７】
2007108616.tif 000010
【数８】
2007108616.tif 000011
【００５８】
ここで、Ｒｏ、Ｇｏ、Ｂｏ、Ｃｏは、それぞれ、赤（Ｒ）、緑（Ｇ）、青（Ｂ）、シアン（Ｃ）の画素についての第３の画像信号であり、Ｒｉ、Ｇｉ、Ｂｉは、それぞれ、赤（Ｒ）、緑（Ｇ）、青（Ｂ）の画素についての第１の画像信号である。
【００５９】
上述の（式５）から（式８）の式で生成された第３の画像信号を表２に示す。
【表２】
2007108616.tif 000012
【００６０】
表２の左側には、ＭＰＵ側制御回路７０に入力される第１の画像信号が示されている。パーシャル表示モードでは、Ｒｉ、Ｇｉ、Ｂｉは、それぞれ、「０」または「１」の２値をとりうる。よって、第１の画像信号は、ａ０からａ７までの３ｂｉｔの信号となっている。
表２の右側には、ＭＰＵ側制御回路７０で生成される第３の画像信号が示されている。パーシャル表示モードでは、Ｒｏ、Ｇｏ、Ｂｏ、Ｃｏは、それぞれ、「０」または「１」の２値をとりうる。よって、第３の画像信号は、ｄ０からｄ１５までの４ｂｉｔの信号となっている。
表２において、ｄ０、ｄ１、ｄ４、ｄ５、ｄ６、ｄ９、ｄ１０、ｄ１５の画像信号は、上述の（式５）から（式８）の式を用いて、それぞれａ０、ａ１、ａ４、ａ５、ａ６、ａ３、ａ２、ａ７の画像信号から生成されている。
【００６１】
図５は、表２の第３の画像信号の色再現性を示すｘｙ色度図である。
このｘｙ色度図では、座標上の１点が特定の色に対応しており、電気光学装置１Ａは、馬蹄形の枠で囲まれた色のうち、ｄ１、ｄ４、ｄ２、ｄ８の４つの頂点を結ぶ四角形で囲まれた色を表示できる。
【００６２】
図５において、電気光学装置１Ａがノーマリーブラックモードの場合には、ｄ１５の画像信号により表示される色は、白（Ｗ）であり、ｄ０の画像信号により表示される色は、黒（Ｂ）である。なお、ｄ０は、便宜上、ｘ＝０．０、ｙ＝０．０の位置とする。
【００６３】
ここで、ｄ６の画像信号は、上述の（式５）から（式８）の式を用いて、ａ６の画像信号から生成され、ｂ１４の画像信号は、上述の（式１）から（式４）の式を用いて、ａ６の画像信号から生成されている。
つまり、ｄ６の画像信号は、ｂ１４の画像信号と同じように、ａ６の画像信号から生成されている。しかしながら、ａ６の画像信号からｄ６の画像信号を生成する式は、ａ６の画像信号からｂ１４の画像信号を生成する式と異なっており、ｄ６の画像信号で表示される色は、ｂ１４の画像信号で表示される色よりも、馬蹄形で表された範囲の外縁に近い。
【００６４】
ｄ６の画像信号と同様に、ｄ９の画像信号は、ｂ１１の画像信号と同じように、ａ３の画像信号から生成されている。しかしながら、ａ３の画像信号からｄ９の画像信号を生成する式は、ａ３の画像信号からｂ１１の画像信号を生成する式と異なっており、ｄ９の画像信号で表示される色は、ｂ１１の画像信号で表示される色よりも、馬蹄形で表された範囲の外縁に近い。
【００６５】
本実施形態によれば、以下のような効果がある。
（３）第１の画像信号を、赤（Ｒ）、緑（Ｇ）、青（Ｂ）の３種類の画素５７に対応させ、この第１の画像信号における赤（Ｒ）、緑（Ｇ）、青（Ｂ）に対応する信号に基づいて、第３の画像信号における２種類の画素５７の信号として供給する。このように、第３の画像信号における緑（Ｇ）およびシアン（Ｃ）の２種類の画素５７に対応する信号を、第１の画像信号に基づいて生成するので、これら２種類の色と色の関連性が高い黄（Ｙ）およびシアン（Ｃ）の色純度を向上できる。
なお、ｘｙ色度図において、馬蹄形で表された範囲の外縁に近いほど、色純度が高い。本実施形態のｄ６およびｄ９の画像信号は、ａ６およびａ３のそれぞれ同じ画像信号から生成されたｂ１４およびｂ１１の画像信号よりも、馬蹄形で表された範囲の外縁に近いので、ｂ１４およびｂ１１の画像信号で表示される黄（Ｙ）およびシアン（Ｃ）よりも、ｄ６およびｄ９の画像信号で表示される黄（Ｙ）およびシアン（Ｃ）の方が色純度が高い。
【００６６】
＜第３実施形態＞
本実施形態に係る電気光学装置１Ｂは、上述の電気光学装置１、１Ａと比べて、パーシャル表示モードで、第１の画像信号に基づいて第３の画像信号を生成する際に用いる式が異なる。
【００６７】
電気光学装置１Ｂは、パーシャル表示モードでは、以下（式９）から（式１２）の式を用いて、赤（Ｒ）、緑（Ｇ）、青（Ｂ）、シアン（Ｃ）の４種類の画素５７のうち、赤（Ｒ）、緑（Ｇ）、青（Ｂ）の３種類の画素５７に対応する第１の画像信号に基づいてシアン（Ｃ）の１種類の画素５７の信号に変換して、上述の４種類の画素５７の全てに供給される第３の画像信号を生成する。
【００６８】
【数９】
2007108616.tif 000013
【数１０】
2007108616.tif 000014
【数１１】
2007108616.tif 000015
【数１２】
2007108616.tif 000016
【００６９】
ここで、Ｒｏ、Ｇｏ、Ｂｏ、Ｃｏは、それぞれ、赤（Ｒ）、緑（Ｇ）、青（Ｂ）、シアン（Ｃ）の画素についての第３の画像信号であり、Ｒｉ、Ｇｉ、Ｂｉは、それぞれ、赤（Ｒ）、緑（Ｇ）、青（Ｂ）の画素についての第１の画像信号である。
【００７０】
上述の（式９）から（式１２）の式で生成された第３の画像信号を表３に示す。
【表３】
2007108616.tif 000017
【００７１】
表３の左側には、ＭＰＵ側制御回路７０に入力される第１の画像信号が示されている。パーシャル表示モードでは、Ｒｉ、Ｇｉ、Ｂｉは、それぞれ「０」または「１」の２値をとりうる。よって、第１の画像信号は、ａ０からａ７までの３ｂｉｔの信号となっている。
表３の右側には、ＭＰＵ側制御回路７０で生成される第３の画像信号が示されている。パーシャル表示モードでは、Ｒｏ、Ｇｏ、Ｂｏ、Ｃｏは、それぞれ、「０」または「１」の２値をとりうる。よって、第３の画像信号は、ｆ０からｆ１５までの４ｂｉｔの信号となっている。
表３において、ｆ０、ｆ１、ｆ４、ｆ５、ｆ６、ｆ１０、ｆ１１、ｆ１５の画像信号は、上述の（式９）から（式１２）の式を用いて、それぞれａ０、ａ１、ａ４、ａ５、ａ６、ａ２、ａ３、ａ７の画像信号から生成されている。
【００７２】
図６は、表３の第３の画像信号の色再現性を示すｘｙ色度図である。
このｘｙ色度図では、座標上の１点が特定の色に対応しており、電気光学装置１Ｂは、馬蹄形の枠で囲まれた色のうち、ｆ１、ｆ４、ｆ２、ｆ８の４つの頂点を結ぶ四角形で囲まれた色を表示できる。
【００７３】
ここで、ｆ６の画像信号は、上述の（式９）から（式１２）を用いて、ａ６の画像信号から生成され、ｂ１４の画像信号は、上述の（式１）から（式４）の式を用いて、ａ６の画像信号から生成されている。
つまり、ｆ６の画像信号は、ｂ１４の画像信号と同じように、ａ６の画像信号から生成されている。しかしながら、ａ６の画像信号からｆ６の画像信号を生成する式は、ａ６の画像信号からｂ１４の画像信号を生成する式と異なっており、ｆ６の画像信号で表示される色は、ｂ１４の画像信号で表示される色よりも、馬蹄形で表された範囲の外縁に近い。
【００７４】
ｆ６の画像信号と同様に、ｆ１１の画像信号は、ｄ９の画像信号と同じように、ａ３の画像信号から生成されている。しかしながら、ａ３の画像信号からｆ１１の画像信号を生成する（式９）から（式１２）の式は、ａ３の画像信号からｄ９の画像信号を生成する（式５）から（式８）の式よりも簡易な式である。
【００７５】
本実施形態によれば、以下のような効果がある。
（４）第１の画像信号を、赤（Ｒ）、緑（Ｇ）、青（Ｂ）の３種類の画素５７に対応させ、この第１の画像信号における赤（Ｒ）、緑（Ｇ）、青（Ｂ）に対応する信号に基づいて、第３の画像信号におけるシアン（Ｃ）の１種類の画素５７の信号として供給する。このように、第３の画像信号におけるシアン（Ｃ）の１種類の画素５７に対応する信号を、第１の画像信号に基づいて生成するので、このシアン（Ｃ）と色の関連性が高い黄（Ｙ）の色純度を向上できる。
なお、ｘｙ色度図において、馬蹄形で表された範囲の外縁に近いほど、色純度が高い。本実施形態のｆ６の画像信号は、ａ６の同じ画像信号から生成されたｂ１４の画像信号よりも、馬蹄形で表された範囲の外縁に近いので、ｂ１４の画像信号で表示される黄（Ｙ）よりも、ｆ６の画像信号で表示される黄（Ｙ）の方が色純度が高い。
【００７６】
（５）本実施形態の（式９）から（式１２）の式は、第２実施形態の（式５）から（式８）の式よりも簡易であるため、第１の画像信号に基づいて第３の画像信号を生成する回路が簡易な構成になり、更に省電力化を実現できる。
【００７７】
＜変形例＞
なお、本発明は前記実施形態に限定されるものではなく、本発明の目的を達成できる範囲での変形、改良等は本発明に含まれるものである。
例えば、本実施形態では、ＭＰＵ側制御回路７０で、４種類の画素５７のうちの３種類についての第１の画像信号に基づいて、４種類の画素５７の全てに供給される第３の画像信号を生成したが、これに限らず、例えばＭＰＵ４１で生成してもよい。
【００７８】
また、本実施形態では、走査線駆動回路１１には、４種類の画素５７毎に４種類のＸドライバ２１Ａを設けたが、これに限らず、１種類のＸドライバ２１Ａを設けてもよい。
【００７９】
また、先に説明した赤（Ｒ）、青（Ｂ）、緑（Ｇ）及びシアン（Ｃ）をそれぞれ、以下に説明するような赤系の色相の着色領域（Ｒ）、青系の色相の着色領域（Ｂ）及び青から黄までの色相の中で選択された２種の色相の着色領域（Ｇ及びＣ）に適用しても良い。
【００８０】
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００８１】
具体的な色相の範囲は、
青系の色相の着色領域は、青紫から青緑であり、より好ましくは藍から青である。
赤系の色相の着色領域は、橙から赤である。
青から黄までの色相で選択される一方の着色領域は、青から緑であり、より好ましくは青緑から緑である。
青から黄までの色相で選択される他方の着色領域は、緑から橙であり、より好ましくは緑から黄である。もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のRGBの着色領域よりも広範囲の色再現性を実現することができる。
【００８２】
広範囲の色再現性を色相で述べたが、以下に、着色領域を透過する波長で表現する。
青系の着色領域は、波長のピークが４１５−５００ｎｍにある着色領域、好ましくは、４３５−４８５ｎｍにある着色領域である。
赤系の着色領域は、波長のピークが６００ｎｍ以上にある着色領域で、好ましくは、６０５ｎｍ以上にある着色領域である。
青から黄までの色相で選択される一方の着色領域は、波長のピークが４８５−５３５ｎｍにある着色領域で、好ましくは、４９５−５２０ｎｍにある着色領域である。
青から黄までの色相で選択される他方の着色領域は、波長のピークが５００−５９０ｎｍにある着色領域、好ましくは５１０−５８５ｎｍにある着色領域、もしくは５３０−５６５ｎｍにある着色領域である。
【００８３】
次に、ｘ、ｙ色度図で表現する。
青系の着色領域は、ｘ≦0.151、ｙ≦0.056にある着色領域であり、好ましくは、0.134≦ｘ≦0.151、0.034≦ｙ≦0.056にある着色領域である。
赤系の着色領域は、0.643≦ｘ、ｙ≦0.333にある着色領域であり、好ましくは、0.643≦ｘ≦0.690、0.299≦ｙ≦0.333にある着色領域である。
青から黄までの色相で選択される一方の着色領域は、ｘ≦0.164、0.453≦ｙにある着色領域であり、好ましくは、0.098≦ｘ≦0.164、0.453≦ｙ≦0.759にある着色領域である。
青から黄までの色相で選択される他方の着色領域は、0.257≦ｘ、0.606≦ｙにある着色領域であり、好ましくは、0.257≦ｘ≦0.357、0.606≦ｙ≦0.670にある着色領域である。
これら４色の着色領域は、サブ画素に透過領域と反射領域を備えた場合、透過領域及び反射領域も上述した範囲で適用することができるものである。
【００８４】
上記４色の着色領域の構成の例として、以下のものがあげられる。
色相が、赤、青、緑、シアン（青緑）の着色領域
色相が、赤、青、緑、黄の着色領域
色相が、赤、青、深緑、黄の着色領域
色相が、赤、青、エメラルド、黄の着色領域
色相が、赤、青、深緑、黄緑の着色領域
色相が、赤、青緑、深緑、黄緑の着色領域
【００８５】
また、上述した実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域毎に異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、上記実施形態と同様に本発明が適用され得る。
【００８６】
＜応用例＞
次に、上述した実施形態に係る電気光学装置１を適用した電子機器について説明する。
図７は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００８７】
なお、電気光学装置１が適用される電子機器としては、図７に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００８８】
【図１】本発明の第１実施形態に係る電気光学装置の構成を示すブロック図である。
【図２】前記電気光学装置を構成するＸドライバの構成を示すブロック図である。
【図３】前記電気光学装置の表示領域の模式図である。
【図４】前記電気光学装置の色再現性を示すｘｙ色度図である。
【図５】本発明の第２実施形態に係る電気光学装置の色再現性を示すｘｙ色度図である。
【図６】本発明の第３実施形態に係る電気光学装置の色再現性を示すｘｙ色度図である。
【図７】上述の電気光学装置を適用した携帯電話機の構成を示す斜視図である。
【符号の説明】
【００８９】
１、１Ａ、１Ｂ…電気光学装置、１０…走査線、１１…走査線駆動回路、２０…データ線、２１…データ線駆動回路、２１Ａ…Ｘドライバ、４１…ＭＰＵ、５７…画素、６３…コマンドデコーダ、７０…ＭＰＵ側制御回路、８０…ドライバ側制御回路、９１…表示データＲＡＭ、９６…表示階調制御回路、３０００…携帯電話機（電子機器）。
【図１】
2007108616.tif 000018
【図２】
2007108616.tif 000019
【図３】
2007108616.tif 000020
【図４】
2007108616.tif 000021
【図５】
2007108616.tif 000022
【図６】
2007108616.tif 000023
【図７】
2007108616.tif 000024